(57)【要約】【課題】大型化することなく積載される記録紙の重量変化に応じた繰り出し圧力の設定が可能な構成を備えた給紙装置を提供する。【解決手段】載置部材６４が記録紙の繰り出し方向前方側に対向する繰り出し手段３に向けて移動する習性を付与されている給紙カセット６１Ａを備えた給紙装置において、載置部材６４における記録紙の繰り出し方向前方側に配置されて垂直方向に回動可能な載置部上昇部材６７と、載置部上昇部材６７の回動端およびこの端部に対向する載置部材６４の記録紙繰り出し方向前方側との間に設けられて載置部上昇部材６７と載置部材６４とを連動させる弾性部材６８とを備え、載置部上昇部材６７は、記録紙のサイズに応じて載置部材６４との対向位置を変更可能であり、変更された位置に応じて弾性部材６８の弾性力を変化させる構成１０１であることを特徴とする。【選択図】図４
2007153460.tif 000002
【特許請求の範囲】
【請求項１】
内部に記録紙を搭載可能な載置部材を有し、該載置部材が前記記録紙の繰り出し方向前方側に対向する繰り出し手段に向けて移動することにより上記記録紙を当接させる習性を付与されている給紙カセットを備えた給紙装置において、
上記載置部材における記録紙の繰り出し方向前方側に配置されて垂直方向に回動可能な載置部上昇部材と、
上記載置部上昇部材の回動端およびこの端部に対向する上記載置部材の記録紙繰り出し方向前方側との間に設けられて該載置部上昇部材と上記載置部材とを連動させる弾性部材とを備え、
上記載置部上昇部材は、上記記録紙のサイズに応じて上記載置部材との対向位置を変更可能であり、変更された位置に応じて上記弾性部材の弾性力を変化させることにより上記繰り出し手段と上記記録紙との当接圧を変化させることを特徴とする給紙装置。
【請求項２】
上記載置部上昇部材には、該載置部上昇部材の回動位置を上記記録紙のサイズ変化に応じて変化させることが可能なガイド部材が対向当接させて設けられており、該ガイド部材により上記載置部上昇部材の回動端部を押し動かすことで該載置部上昇部材の回動位置が変更されることを特徴とする請求項１記載の給紙装置。
【請求項３】
上記ガイド部には、進退可能なネジ機構が当接可能に設けられており、上記記録紙のサイズ変化に応じてネジ機構による進退量を変化させることにより該ガイド部材が上記載置部上昇部材を押し動かす構成を備えていることを特徴とする請求項１または２に記載の給紙装置。
【請求項４】
上記ガイド部材には、当接可能なカム機構が設けられ、上記記録紙のサイズ変化に応じた該カム機構の偏心位置に応じて該ガイド部材が押し動かされるのを介して該ガイド部材が上記載置部上昇部材を押し動かす構成を備えていることを特徴とする請求項１または２に記載の給紙装置。
【請求項５】
上記記録紙のサイズは、記録紙の繰り出し方向またはこの方向と直角な幅方向のいずれかが選択されて上記ガイド部材と上記載置部材との対向位置関係が変更されることを特徴とする請求項２乃至４のいずれかに記載の給紙装置。
【請求項６】
上記ガイド部材の回動位置を変更するための条件の一つとして、上記記録紙の繰り出し方向の長さが選択されることを特徴とする請求項２乃至４記載の給紙装置。
【請求項７】
請求項１乃至６のいずれかに記載の給紙装置を用いることを特徴とする画像形成装置。
【発明の詳細な説明】
【技術分野】
【０００１】
本発明は、給紙装置および画像形成装置に関し、さらに詳しくは、記録紙を搭載可能なトレイに装備されている載置部材の上昇機構に関する。
【背景技術】
【０００２】
複写機やプリンタあるいはファクシミリ装置や印刷機などの画像形成装置においては、潜像担持体に担持されているトナー像などの可視像を記録紙などの記録媒体（以下、便宜上、記録紙と表現する）に転写することで画像出力が得られるようになっている。  
記録紙は、画像形成装置内に装備されている給紙カセットなどから給送される構成が知られている。  
給紙カセットの構成として、カセットの内部に記録紙を積載可能な底板あるいは載置板を設け、この部材を下方から押し上げて繰り出しローラに記録紙を当接させた状態で繰り出せるようにした構成がある（例えば、特許文献１）。
【０００３】
底板あるいは載置板の押し上げ機構には伸縮可能なバネが用いられている。バネを用いることにより、搭載される記録紙の積載量に応じたバネの収縮変形位置からの形状復元力を利用した押し上げ作用を得ることができるようになっている。
【０００４】
一方、底板あるいは載置板を上方に向け付勢するバネは、初期設定した弾性力とこれに対抗する積載重量との差が形状復元力の大きさとして得られる部材である。しかし、記録紙の積載重量の違いに関係なく記録紙を繰りだしローラに接触させる圧力を一定化して重送防止および不送りなどの不具合が発生するのを防止しようとした場合、積載重量の変化が積載量だけでなく積載される記録紙サイズによっても発生することから、これら全てに対応する弾性力の設定は困難である。
【０００５】
記録紙サイズに応じて弾性力を変更するための構成の一つとして、記録紙の搬送方向と直角な幅方向側端の位置を規定して斜行防止に用いられるサイドフェンスの位置変化に連動してバネの伸縮量を制御する部材をバネに被せるようにした構成がある（例えば、特許文献２）。
【０００６】
【特許文献１】特許第３６０９８４８号（段落「０００２」欄）
【特許文献２】特開２００４−３３１３４５号公報（段落「００５０」〜「００５４」欄）
【発明の開示】
【発明が解決しようとする課題】
【０００７】
特許文献２に開示されている構成においては、繰り出される記録紙の幅方向サイズの変化に応じて弾性力の変更が可能であるが、そのための構成として、サイドフェンスの移動位置を基準としていることから、初期設定の際の弾性力を対象とした変更処理ができない。つまり、組み込み精度などが原因して出荷時に設定された弾性力が変化したような場合、これを適正化するように調整しようとしても記録紙の幅方向の位置が変化しない限り弾性力を調整することができない。このため、サイドフェンスの位置を変化させると記録紙の搭載に支障が出るなどの新たな問題が生じる。
【０００８】
一方、特許文献２に開示されている構成では、底板あるいは載置板を押し上げるためのバネが底板あるいは載置板の下面に配置されている。このため、給紙カセットの底部にはバネの収容スペースが必要となり、記録紙の搭載および繰り出しには直接関係しない部分の構成が大型化してしまう虞がある。
【０００９】
本発明の目的は、上記従来の給紙装置における問題に鑑み、大型化することなく積載される記録紙の重量変化に応じた繰り出し圧力の設定が可能な構成を備えた給紙装置および画像形成装置を提供することにある。
【課題を解決するための手段】
【００１０】
本発明は、以下の構成からなる。
（１）内部に記録紙を搭載可能な載置部材を有し、該載置部材が前記記録紙の繰り出し方向前方側に対向する繰り出し手段に向けて移動することにより上記記録紙を当接させる習性を付与されている給紙カセットを備えた給紙装置において、
上記載置部材における記録紙の繰り出し方向前方側に配置されて垂直方向に回動可能な載置部上昇部材と、
上記載置部上昇部材の回動端およびこの端部に対向する上記載置部材の記録紙繰り出し方向前方側との間に設けられて該載置部上昇部材と上記載置部材とを連動させる弾性部材とを備え、
上記載置部上昇部材は、上記記録紙のサイズに応じて上記載置部材との対向位置を変更可能であり、変更された位置に応じて上記弾性部材の弾性力を変化させることにより上記繰り出し手段と上記記録紙との当接圧を変化させることを特徴とする給紙装置。
（２）上記載置部上昇部材には、該載置部上昇部材の回動位置を上記記録紙のサイズ変化に応じて変化させることが可能なガイド部材が対向当接させて設けられており、該ガイド部材により上記載置部上昇部材の回動端部を押し動かすことで該載置部上昇部材の回動位置が変更されることを特徴とする（１）に記載の給紙装置。
（３）上記ガイド部には、進退可能なネジ機構が当接可能に設けられており、上記記録紙のサイズ変化に応じてネジ機構による進退量を変化させることにより該ガイド部材が上記載置部上昇部材を押し動かす構成を備えていることを特徴とする（１）または（２）に記載の給紙装置。
（４）上記ガイド部材には、当接可能なカム機構が設けられ、上記記録紙のサイズ変化に応じた該カム機構の偏心位置に応じて該ガイド部材が押し動かされるのを介して該ガイド部材が上記載置部上昇部材を押し動かす構成を備えていることを特徴とする（１）または（２）に記載の給紙装置。
（５）上記記録紙のサイズは、記録紙の繰り出し方向またはこの方向と直角な幅方向のいずれかが選択されて上記ガイド部材と上記載置部材との対向位置関係が変更されることを特徴とする（２）乃至（４）のいずれかに記載の給紙装置。
（６）上記ガイド部材の回動位置を変更するための条件の一つとして、上記記録紙の繰り出し方向の長さが選択されることを特徴とする（２）乃至（４）に記載の給紙装置。
（７）（１）乃至（６）のいずれかに記載の給紙装置を用いることを特徴とする画像形成装置。
【発明の効果】
【００１１】
請求項１記載の発明によれば、載置部上昇部材の回動位置が記録紙のサイズに応じて変更されて弾性部材の弾性力を変更できるので、記録紙の積載量だけでなくサイズの違いによる重量変化に拘わらず、記録紙と繰り出し手段との当接関係を一定化することが可能となる。これにより、重量変化に応じた載置部材の押し上げ状態を設定する部材、つまり載置部材を押し上げる部材を載置部材の下方に設けるような構成が不要となることで給紙カセットの大型化を防止できる。
【００１２】
請求項２乃至４記載の発明によれば、載置部上昇部材の回動位置を変更する構成に用いられるガイド部材がネジ機構あるいはカム機構により押し動かされる構成であるので、連続的な変化を得ることができ、換言すれば、無段階の位置調整が可能となるので、記録紙と繰り出し手段との当接関係を最適な条件下に設定することが可能となる。特に、請求項４記載の発明においては、カム機構の回転を利用することで回動位置変更のための構造が占めるスペースを小さくすることができる。
【００１３】
請求項５および６記載の発明によれば、記録紙の重量変化の要因となるサイズ変化が、繰り出し方向の長さあるいはこれと幅方向の長さにより割り出されることができ、特に請求項６記載の発明においては、繰り出し方向の長さであるので、幅方向の長さに比べて違いが大きくなる長さを対象として重量変化に影響するサイズ変化を正確に割り出すことが可能となり、弾性力の変更精度を高めることが可能となる。
【００１４】
請求項７記載の発明によれば、記録紙の積載量だけでなくサイズ変更による重量変化に拘わらず、記録紙と繰り出し手段との当接関係を一定化することができるので、重送や不送りなどを未然に防止することが可能となる。
【発明を実施するための最良の形態】
【００１５】
以下、図に示す実施例により本発明を実施するための最良の形態について説明する。
【実施例】
【００１６】
図１は、本発明実施例による給紙装置が適用される画像形成装置を示す模式図である。
図１に示されている画像形成装置は、複数色の画像形成が可能なカラープリンタを示している。なお、本発明は、画像形成装置としてプリンタに限らず、複写機やファクシミリ装置あるいは印刷機さらにはこれら各機能を複合させた装置を含むものである。
【００１７】
図１において、画像形成装置１００は、イエロー、マゼンタ、シアン、ブラックの各色に色分解された色にそれぞれ対応する像としての画像を形成可能な像担持体としての感光体ドラム２０Ｙ、２０Ｃ、２０Ｍ、２０ＢＫを並設したタンデム構造が採用されている。
図１に示す構成の画像形成装置１００は、各感光体ドラム２０Ｙ、２０Ｃ、２０Ｍ、２０ＢＫに形成された可視像が、各感光体ドラム２０Ｙ、２０Ｃ、２０Ｍ、２０ＢＫに対峙しながら矢印Ａ１方向に移動可能な無端ベルトが用いられる中間転写体（以下、転写ベルトという）１１に対して１次転写行程を実行してそれぞれの画像が重畳転写され、その後、記録シートなどが用いられる記録紙Ｓに対して２次転写行程を実行することで一括転写されるようになっている。
【００１８】
各感光体ドラムの周囲には、感光体ドラムの回転に従い画像形成処理するための装置が配置されており、いま、ブラック画像形成を行う感光体ドラム２０ＢＫを対象として説明すると、感光体ドラム２０ＢＫの回転方向に沿って画像形成処理を行う帯電装置３０ＢＫ，現像装置４０ＢＫ、１次転写ローラ１２ＢＫおよびクリーニング装置５０ＢＫが配置されている。帯電後に行われる書き込みは、後述するように、光走査装置８が用いられる。
【００１９】
転写ベルト１１に対する重畳転写は、転写ベルト１１がＡ１方向に移動する過程において、各感光体ドラム２０Ｙ、２０Ｃ、２０Ｍ、２０ＢＫに形成された可視像が、転写ベルト１１の同じ位置に重ねて転写されるよう、転写ベルト１１を挟んで各感光体ドラム２０Ｙ、２０Ｃ、２０Ｍ、２０ＢＫに対向して配設された１次転写ローラ１２Ｙ、１２Ｃ、１２Ｍ、１２ＢＫによる電圧印加によって、Ａ１方向上流側から下流側に向けてタイミングをずらして行われる。
【００２０】
各感光体ドラム感光体ドラム２０Ｙ、２０Ｃ、２０Ｍ、２０ＢＫは、Ａ１方向の上流側からこの順で並んでいる。各感光体ドラム感光体ドラム２０Ｙ、２０Ｃ、２０Ｍ、２０ＢＫは、イエロー、シアン、マゼンタ、ブラックの画像をそれぞれ形成するための画像ステーションに備えられている。
【００２１】
画像形成装置１００は、各色毎の画像形成処理を行う４つの画像ステーションと、各感光体ドラム２０Ｙ、２０Ｃ、２０Ｍ、２０ＢＫの上方に対向して配設され、転写ベルト１１及び１次転写ローラ１２Ｙ、１２Ｃ、１２Ｍ、１２ＢＫを備えた転写ベルトユニット１０と、転写ベルト１１に対向して配設され転写ベルト１１に従動し、連れ回りする転写部材としての転写ローラである２次転写ローラ５と、転写ベルト１１に対向して配設され転写ベルト１１上をクリーニングする中間転写ベルトクリーニング装置１３と、これら４つの画像ステーションの下方に対向して配設された光書き込み装置としての光走査装置８とを有している。  
本実施例における光走査装置８は、光源としての半導体レーザ、カップリングレンズ、ｆθレンズ、トロイダルレンズ、ミラーおよび回転多面鏡などを装備しており、各感光体ドラム２０Ｙ，２０Ｃ，２０Ｍ，２０ＢＫに対して色毎に対応した書き込み光Ｌｂ（図１では、便宜上、ブラック画像の画像ステーションのみを対象として符号が付けてあるが、その他の画像ステーションも同様である）を出射して感光体ドラム２０Ｙ，２０Ｃ，２０Ｍ，２０ＢＫに静電潜像を形成する構成とされている。
【００２２】
画像形成装置１００には、感光体ドラム２０Ｙ、２０Ｃ、２０Ｍ、２０ＢＫと転写ベルト１１との間に向けて搬送される記録紙Ｓを積載した給紙カセット６１Ａを装備した給送装置６１と、給紙装置６１から搬送されてきた記録紙Ｓを、画像ステーションによるトナー像の形成タイミングに合わせた所定のタイミングで、各感光体ドラム２０Ｙ、２０Ｃ、２０Ｍ、２０ＢＫと転写ベルト１１との間の転写部に向けて繰り出すレジストローラ対４と、記録紙Ｓの先端がレジストローラ対４に到達したことを検知する図示しないセンサとが設けられている。
【００２３】
画像形成装置１００には、トナー像が転写された記録紙Ｓにトナー像を定着させるためのローラ定着方式の定着ユニットとしての定着装置６と、定着済みの記録紙Ｓを画像形成装置１００の本体外部に排出する排紙ローラ７と、画像形成装置１００の本体上部に配設され排出ローラ７により画像形成装置１００の本体外部に排出された記録紙Ｓを積載する排紙トレイ１７と、排紙トレイ１７の下側に位置し、イエロー、シアン、マゼンタ、ブラックの各色のトナーを充填されたトナーボトル９Ｙ、９Ｃ、９Ｍ、９ＢＫとが備えられている。
【００２４】
転写ベルトユニット１０は、転写ベルト１１、１次転写ローラ１２Ｙ、１２Ｃ、１２Ｍ、１２ＢＫの他に、転写ベルト１１が掛け回されている駆動ローラ７２及び従動ローラ７３を有している。
【００２５】
従動ローラ７３は、転写ベルト１１に対する張力付勢手段としての機能も備えており、このため、従動ローラ７３には、バネなどを用いた付勢手段が設けられている。このような転写ベルトユニット１０と、１次転写ローラ１２Ｙ、１２Ｃ、１２Ｍ、１２ＢＫと、２次転写ローラ５と、クリーニング装置１３とで転写装置７１が構成されている。
【００２６】
給紙装置６１は、画像形成装置１００の本体下部に有する空間部において着脱可能に配設されている給紙カセット６１Ａを備えており、最上位の記録紙Ｓの上面に当接する繰り出し手段としての給送ローラ３が配置されている。  
給送ローラ３は、反時計回り方向に回転駆動されることにより、これと対峙する摩擦分離機と協働して最上位の記録紙Ｓをレジストローラ対４に向けて給送するようになっている。
【００２７】
定着装置６は、熱源を内部に有する定着ローラ６２と、定着ローラ６２に圧接された加圧ローラ６３とを有しており、トナー像を担持した記録紙Ｓを定着ローラ６２と加圧ローラ６３との圧接部である定着部に通すことで、熱と圧力との作用により、担持したトナー像を記録紙Ｓの表面に定着するようになっている。
【００２８】
転写装置７１に装備されているクリーニング装置１３は、詳細な図示を省略するが、転写ベルト１１に対向、当接するように配設されたクリーニングブラシとクリーニングブレードとを有しており、転写ベルト１１上の残留トナー等の異物をクリーニングブラシとクリーニングブレードとにより掻き取り、除去して、転写ベルト１１をクリーニングするようになっている。クリーニング装置１３はまた転写ベルト１１から除去した残留トナーを搬出し廃棄するための図示しない排出手段を有している。なお、図１に示す構成の画像形成装置１００では、転写ベルト１１に対して各感光体ドラムで形成された画像を順次転写することで色画像が重畳されたものを２次転写ローラ５により記録紙Ｓに一括転写する方式であるが、これに代えて、転写ベルト１１に記録紙Ｓを担持し、この記録紙Ｓを各感光体ドラムに対峙させて各色の画像を直接記録紙Ｓ上で重畳する方式とすることも可能である。
【００２９】
図２は、給紙装置６１に装備されている給紙カセット６１Ａを抽出して示す模式図であり、同図において給紙カセット６１Ａは、上面が開放された箱体からなるカセットケース６１Ａ１で構成されている。  
カセットケース６１Ａ１の内部には、その底面側に、記録紙Ｓを載置可能な載置部材６４と、記録紙Ｓの繰り出し方向後端に位置して繰り出し方向に沿って摺動可能なエンドフェンス６５と、図３に示すように、記録紙Ｓの繰り出し方向と直角な方向である幅方向端縁をそれぞれ規定するサイドフェンス６６がそれぞれ設けられている。
【００３０】
載置部材６４は、支軸６４Ａにより基端部が支持されることにより垂直方向で揺動することができ、揺動端側が給送ローラ３（図１参照）に対向するように位置している。  
エンドフェンス６５は、詳細を図示しないが、カセットケース６１Ａ１の底部に形成されている溝内に嵌合して摺動できる構成が用いられている。
【００３１】
図３においてサイドフェンス６６は、幅方向で対に設けられた端縁規制片６６Ａと、端縁規制片６６Ａから幅方向中央に向けて延長されたラック部材６６Ｂとを備えており、幅方向中央に設けられているピニオン６６Ｃに互いのラック部材６６Ｂを噛み合わせることにより相反する方向に移動することができるようになっている。
【００３２】
一方、図２において、載置部材６４は、カセットケース６１Ａ１内で記録紙の繰り出し方向前方側に位置する載置部上昇部材６７との間に掛け渡されたバネなどの弾性部材６８によって給送ローラ３に向けて移動、つまり、この場合には揺動する習性が付与されている。  
載置部上昇部材６７は、カセットケース６１Ａ１に設けてある支軸６７Ａにより垂直方向で回動可能に支持されており、載置部材６４の上方に臨出できる端部には載置部材６４に一端が掛け止めてある弾性部材６８が係止されている。このため、弾性部材６８は、載置部上昇部材６７との間で延伸することにより載置部材６４を載置部上昇部材６７の回動に連動させて押し上げることができる部材として用いられる。
【００３３】
このような弾性部材６８を載置部材６４の下方ではなく、その上方に位置する載置部上昇部材６７の回動端部との間に配置していることにより、載置部材６４の下方にはこれを押し上げるための部材が存在していない分、カセットケース６１Ａ１の縦方向でのサイズを小さくすることが可能となる。
【００３４】
載置部上昇部材６７は、弾性部材６８の付勢により載置部材６４側に向けて回動しようとするが、カセットケース６１Ａ１側に設けられている係止ピン６９によって回動限界が規定されている。これにより、弾性部材６８は、載置部材６４を押し上げるに必要な弾性力が最小限発生する状態を維持されている。
【００３５】
図２に示す状態の給紙カセット６１Ａは、カラープリンタ１００から抜き出された状態であり、この状態において載置部材６４がカセットケース６１Ａ１の底部に落ち込むことで新たな記録紙の充填が可能となる。
【００３６】
上述した給紙カセット６１Ａを対象として、本実施例の特徴部について説明すると次の通りである。  
図４は、本実施例の特徴を説明するための模式図であり、同図において本実施例は、載置部上昇部材６７の回動位置が記録紙のサイズに応じて変更できるようになっていることを特徴としている。  
つまり、載置部上昇部材６７は、給紙カセット６１Ａが装着される側であるカラープリンタ１００の不動部に設けられた回動位置制御機構１０１の押し動かし作用により回動位置を変更されるようになっている。  
本実施例での回動位置制御機構１０１は、カラープリンタ１００の不動部側において載置部上昇部材６７を挟んで載置部材６４と反対側に並列させてあるガイドレール１０１Ａと、このガイドレール１０１Ａ上を摺動可能に設けられて一部に載置部上昇部材６７の回動端の一方が当接するガイド部材１０１Ｂとを備えている。
【００３７】
図５は、ガイドレール１０１Ａとガイド部材１０１Ｂとの関係を説明するための模式図であり、同図において、ガイドレール１０１Ａには、その長手方向に沿って複数のガイド溝１０１Ａ１が形成されており、これらガイド溝１０１Ａ１の一つにガイド部材１０１Ｂ側のキー部１０１Ｂ１が嵌合されることでその位置に保持されるようになっている。
【００３８】
ガイド溝１０１Ａ１は、載置部材６４に搭載される記録紙Ｓの繰り出し方向長さに応じてキー部１０１Ｂ１との嵌合位置を選択できる部分であり、ガイド部材１０１Ｂによる載置部上昇部材６７の押し動かし量を変化させるようになっている。  
つまり、ガイド部材１０１Ｂに当接している載置部上昇部材６７は、ガイド部材１０１Ｂの位置が変化するのに合わせて図４において時計方向に回動することができる。このため、載置部上昇部材６７が時計方向に回動する位置に応じて弾性部材６８の牽引量が変化するのに連動して載置部材６４の押し上げ位置が変化し、給送ローラ３に対する記録紙Ｓの当接圧が変更されることになる。
【００３９】
本実施例は以上のような構成であるから、繰り出される記録紙のサイズに応じてガイド部材１０１Ｂによる載置部上昇部材６７の押し動かし位置を変化させることで載置部上昇部材６７の回動位置が変更される。  
これにより、図４（Ａ）に示すように、Ａ４サイズの記録紙（便宜上、符号S１で示す）の場合と、図４（Ｂ）に示すように、これよりも小さいサイズの記録紙の場合（便宜上、符号S２で示す）とで載置部材６４に作用する重量が異なるときでも、載置部上昇部材６７の回動位置を変更することで載置部材６４に作用する弾性部材６８の弾性力を変更することができる。
【００４０】
本実施例によれば、サイズの違いが原因する積載重量の変化により弾性部材６８の弾性力に影響する伸張量が変化した場合に給送ローラ３に対する記録紙の当接圧が不当に強くなったりあるいは必要な当接圧力が得られなくなるようなことがなく、給送ローラ３に対する記録紙の当接関係を適正化して重送や不送りを防止することができる。
【００４１】
次に本実施例の要部変形例について説明する。  
図６に示す実施例は、回動位置制御機構１０１に用いられているガイド部材１０１Ｂを押し動かす機構としてネジ機構を用いたことを特徴としている。なお、図６において図５に示した部材を同じものは同符号により示してある。  
図６において、ガイド部材１０１Ｂにおける載置部上昇部材６７と反対側の面には、位置調整ネジ１０２の先端が嵌合させてあり、位置調整ネジ１０２の頭部１０２Ｂには、外部からねじ回しなどの調整操作部材１０３が挿脱できるようになっている。
【００４２】
位置調整ネジ１０２は、カラープリンタ１００の不動部に形成されたネジ穴１００Ｂにねじ込まれて回転可能に支持されるとともに、図７に示すように、ガイド部材１０１Ｂに形成された係合孔１０１Ｂ２内に先端の係合突起１０２Ａを回転できる状態で嵌合されている。従って、位置調整ネジ１０２の頭部１０２Ｂを調整操作部材１０３により回転させることにより不動部のネジ穴１００Ｂからの進退量が変化することになり、これにより、ガイド部材１０１Ｂの回動位置を変更することができる。
【００４３】
位置調整ネジ１０２の進退量は、記録紙の繰り出し方向の長さを基準として調整できるようになっているが、長さに対応させるだけでなく、記録紙と給送ローラ３との接触圧力が変化した場合の矯正のために調整を行うことも可能である。
【００４４】
このような構成においては、ガイド部材１０１Ｂの回動位置を変更する際に、位置調整ネジ１０２の進退量がほとんど無段階で設定できるので、給送ローラ３に対する記録紙の当接状態を最適化するための調整が可能となる。
【００４５】
次に本実施例の要部に関する他の変形例について説明する。  
図８に示す実施例においては、回動位置制御機構１０１に用いられているガイド部材１０１Ｂを押し動かす機構としてカム機構を用いたことを特徴としている。なお、図６において図５に示した部材を同じものは同符号により示してある。
【００４６】
図８において、ガイド部材１０１Ｂにおける載置部上昇部材６７と反対側の面には、偏心カム１０４の外周面が当接させてあり、偏心カム１０４は、駆動モータ１０４Ａに連動するようになっている。  
一方、ガイド部材１０１Ｂには、偏心カム１０４が当接する側の面に偏心カム１０４を挟んで等分位置にカラープリンタ１００の不動部との間に掛け渡されたバネ１０５が設けられており、ガイド部材１０１Ｂを偏心カム１０４に圧接させる習性が付与されている。
【００４７】
本実施例においては、偏心カム１０４の回転位置に応じてガイド部材１０１Ｂの回動位置が変化するようになっているが、これを回転させる駆動モータ１０４Ａの回転制御が記録紙の繰り出し方向の長さを検知することで行われるようになっている。以下、この制御について説明する。  
記録紙の繰り出し方向の長さは、エンドフェンス６５の位置を検知することで行われ、例えば、図９に示すように、エンドフェンス６５の摺動路に設けたリニアエンコーダやポテンションメータなどの位置検知手段１０５が用いられる。
【００４８】
これらエンドフェンス６５の位置検知手段１０６は、図９において符号１０７で示す制御部に接続されており、制御部１０７では、基準位置から摺動変位した位置までの差分に応じた回転量を駆動モータ１０４Ａに出力する。これにより、駆動モータ１０４Ａでは、載置部材６４に搭載される記録紙のうちで最大サイズのものの端縁を規定する位置を基準位置とした場合に、これよりも小さいサイズの記録紙が搭載された際には載置部材６４を下降させる方向に向けて載置部上昇部材６７を変位させるように、換言すれば、弾性部材６８の弾性力を弱めるようにガイド部材１０１Ｂの回動位置が設定するように回転量が設定されて回転される。なお、予めサイズ毎の偏心回転量を規定した場合には、例えば、画像形成指令を行う操作パネルなどにおいて選択されたサイズに応じた回転量を駆動モータ１０４Ａに設定しておくことも可能である。
【００４９】
このような構成においては、ガイド部材１０１Ｂに隣接した位置に偏心カム１０４を設けるだけですむので、設置スペースを大型化することなく給送ローラ３に対する記録紙の当接状態を最適化することが可能となる。なお、偏心カム１０４の回転調整に関しては、駆動モータ等の特別な部材を準備することなく、外部に延長されたつまみなどを操作部材として用いることも可能である。  
また、ガイド部材１０１Ｂの回動位置を変更する条件としては、上述したような記録紙の繰り出し方向の長さに限らず、幅方向の長さを条件とすることも可能である。
【図面の簡単な説明】
【００５０】
【図１】本発明実施例による給紙装置が用いられる画像形成装置の概略構成を説明するための模式図である。
【図２】本発明実施例による給紙装置の要部構成を説明するための模式図である。
【図３】図２に示した給紙装置の要部を示す平面図である。
【図４】図２に示した給紙装置における特徴部を説明するための図であり、（Ａ）は、大きいサイズの記録紙を対象とした場合を、（Ｂ）は、（Ａ）に示したサイズよりも小さいサイズの記録紙を対象とした場合の作用をそれぞれ示している。
【図５】図４に示した給紙装置における特徴部分の構成に用いられる回動位置制御機構の要部を示す模式図である。
【図６】本発明実施例による給紙装置の要部変形例に関する構成を説明するための模式図であり、（Ａ）は大きいサイズの記録紙を対象とした場合を、（Ｂ）は（Ａ）に示したサイズよりも小さいサイズの記録紙を対象とした場合の作用をそれぞれ示している。
【図７】図６に示した要部変形例に用いられる回動位置制御機構の構成を説明するための模式図である。
【図８】本実施例による給紙装置の要部に関するさらに別の変形例を説明するための模式図であり、（Ａ）は大きいサイズを対象とした場合を、（Ｂ）は（Ａ）に示したサイズよりも小さいサイズの記録紙を対象とした場合の作用をそれぞれ示している。
【図９】図８に示した変形例の平面図である。
【符号の説明】
【００５１】
３  給送ローラ
６１  給紙装置
６１Ａ  カセットケース
６４  載置部材
６５  エンドフェンス
６６  サイドフェンス
６７  載置部上昇部材
６８  弾性部材
１００  カラープリンタ
１０１  回動位置制御機構
１０１Ａ  ガイドレール
１０１Ｂ  ガイド部材
１０２  位置調整ネジ
１０４  偏心カム
【図１】
2007153460.tif 000003
【図２】
2007153460.tif 000004
【図３】
2007153460.tif 000005
【図４】
2007153460.tif 000006
【図５】
2007153460.tif 000007
【図６】
2007153460.tif 000008
【図７】
2007153460.tif 000009
【図８】
2007153460.tif 000010
【図９】
2007153460.tif 000011